(57)【要約】【課題】仕様によって価格が異なる商品において、その商品の種類ごとにおける価格を容易に知ることができる。【解決手段】携帯端末１の受付部１ａは、ユーザからカーテンのサイズや縫製種類などの仕様を示す仕様情報を受付ける。取得部１ｂは、カタログ３に掲載されたカーテン３ａの種類を示すＱＲコード３ｃを、カメラを介して取得する。表示部１ｃは、受付部１ａの受け付けた仕様情報と、取得部１ｂの取得したＱＲコードとに基づいて算出されるカーテン３ａの価格を表示する。これにより、ユーザは、カタログ３に掲載されたＱＲコードを撮影するだけで、同じ仕様の様々な種類のカーテンの価格を容易に知ることができる。【選択図】図１
2014096087.tif 000002
【特許請求の範囲】
【請求項１】
ユーザから商品の仕様を示す仕様情報を受付ける受付部と、
前記商品の種類を示す種類情報を非接触で取得する取得部と、
前記受付部の受け付けた前記仕様情報と前記取得部の取得した前記種類情報とに基づいて算出される前記商品の価格を表示する表示部と、
を有することを特徴とする携帯端末。
【請求項２】
前記取得部は、前記表示部によって前記価格が表示された後、前記ユーザからの指示に応じて前記受付部による前記仕様情報の受付けを省略し、前記種類情報を取得することを特徴とする請求項１記載の携帯端末。
【請求項３】
前記表示部は、前記ユーザに対し、前記種類情報が前記取得部によって取得されるように促すボタンと、前記仕様情報が前記受付部によって受付けられるように促すボタンとを表示することを特徴とする請求項１または２に記載の携帯端末。
【請求項４】
前記仕様情報には、前記商品の設置される場所の情報が含まれていることを特徴とする請求項１乃至３のいずれかに記載の携帯端末。
【請求項５】
携帯端末がユーザから受付けた商品の仕様を示す仕様情報と前記携帯端末が非接触で取得した前記商品の種類を示す種類情報とを、前記携帯端末から受信する受信部と、
前記受信部の受信した前記種類情報と前記仕様情報とに基づいて前記商品の価格を算出する算出部と、
前記算出部の算出した前記商品の価格を前記携帯端末に送信する送信部と、
を有することを特徴とするサーバ。
【請求項６】
ユーザから商品の仕様を示す仕様情報を受付け、
前記商品の種類を示す種類情報を非接触で取得し、
受付けた前記仕様情報と取得した前記種類情報とに基づいて算出される前記商品の価格を表示装置に表示する、
ことを特徴とする価格表示方法。
【請求項７】
コンピュータに、
ユーザから商品の仕様を示す仕様情報を受付け、
前記商品の種類を示す種類情報を非接触で取得し、
受付けた前記仕様情報と取得した前記種類情報とに基づいて算出される前記商品の価格を表示装置に表示する、
処理を実行させることを特徴とするプログラム。
【請求項８】
コンピュータに、
携帯端末がユーザから受付けた商品の仕様を示す仕様情報と前記携帯端末が非接触で取得した前記商品の種類を示す種類情報とを、前記携帯端末から受信し、
受信した前記種類情報と前記仕様情報とに基づいて前記商品の価格を算出し、
算出した前記商品の価格を前記携帯端末に送信する、
処理を実行させることを特徴とするプログラム。
【発明の詳細な説明】
【技術分野】
【０００１】
本件は、商品の価格を表示する携帯端末、サーバ、価格表示方法、およびプログラムに関する。
【背景技術】
【０００２】
商品には、サイズや製法などの仕様によって価格が異なるものがある。例えば、カーテンは、サイズや縫製種類によって価格が異なる。具体的には、カーテンは、縦横（丈巾）の長さや、１．５倍ヒダ、２倍ヒダなどの縫製種類によって価格が異なる。
このような、仕様によって価格が異なる商品では、例えば、カタログなどに掲載されている、いわゆるマトリックス表によって商品価格を知ることができる。
【０００３】
例えば、カーテンの場合、マトリックス表の縦方向は、カーテンの縦の長さに対応し、横方向は、カーテンの横の長さに対応している。そして、マトリックス表の縦横のクロスした部分に、そのカーテンのサイズ（縦横の長さ）の価格が記載されている。
【０００４】
これにより、カーテン価格を知りたいお客や店員は、マトリックス表を用いて、所望のサイズのカーテン価格を知ることができる。なお、マトリックス表は、カーテンの種類ごとに用意されており、例えば、カーテンの色や柄ごとに用意されている。
【０００５】
なお、従来、いわゆるオンラインショッピングの利点を享受しつつ、所望の商品を簡単かつ速やかに選択できるようにした購入支援システムが提案されている（例えば、特許文献１参照）。
【先行技術文献】
【特許文献】
【０００６】
【特許文献１】特開２０１２−４８５２８号公報
【発明の概要】
【発明が解決しようとする課題】
【０００７】
しかし、仕様によって価格が異なる商品では、商品の種類が変わるごとにその価格を調べることは、手間がかかるという問題点がある。
【０００８】
例えば、カーテンの場合、上記したようにサイズなどの仕様によって価格が異なる。また、色や柄によってたくさんの種類が存在する。そして、一般的にお客は、自分の好みに合う色々な種類のカーテンの価格を知りたい。
【０００９】
しかし、お客や店員は、色々なカーテンの価格を調べるのに、マトリックス表をカーテンの種類ごとに調べることになり、手間がかかる。例えば、お客や店員は、色や柄の異なるカーテンごとに、マトリックス表の縦横の欄をなぞってカーテン価格を調べることになり、手間がかかる。
【００１０】
本件はこのような点に鑑みてなされたものであり、仕様によって価格が異なる商品において、その商品の種類ごとにおける価格を容易に知ることができる携帯端末、サーバ、価格表示方法、およびプログラムを提供することを目的とする。
【課題を解決するための手段】
【００１１】
上記課題を解決するために、携帯端末が提供される。この携帯端末は、ユーザから商品の仕様を示す仕様情報を受付ける受付部と、前記商品の種類を示す種類情報を非接触で取得する取得部と、前記受付部の受け付けた前記仕様情報と前記取得部の取得した前記種類情報とに基づいて算出される前記商品の価格を表示する表示部と、を有する。
【発明の効果】
【００１２】
開示の装置、方法、およびプログラムによれば、仕様によって価格が異なる商品において、その商品の種類ごとにおける価格を容易に知ることができる。
【図面の簡単な説明】
【００１３】
【図１】第１の実施の形態に係る携帯端末を説明する図である。
【図２】第２の実施の形態に係るシステム構成例を示した図である。
【図３】携帯端末の機能ブロック図である。
【図４】携帯端末の機能ブロック図である。
【図５】サーバの機能ブロック図である。
【図６】ＤＢのデータ構成例を示した図である。
【図７】ＱＲコードを説明する図である。
【図８】携帯端末の画面例を示した図である。
【図９】携帯端末の画面例を示した図である。
【図１０】携帯端末の画面例を示した図である。
【図１１】携帯端末の動作を示したフローチャートである。
【図１２】サーバの動作を示したフローチャートである。
【図１３】第３の実施の形態に係る商品の設置場所を説明する図である。
【図１４】ＤＢのデータ構成例を示した図である。
【発明を実施するための形態】
【００１４】
以下、実施の形態を、図面を参照して詳細に説明する。
［第１の実施の形態］
【００１５】
図１は、第１の実施の形態に係る携帯端末を説明する図である。図１には、携帯端末１、携帯端末１の表示装置に表示される画面２，４、および商品を掲載したカタログ３が示してある。
図１に示すように、携帯端末１は、受付部１ａ、取得部１ｂ、および表示部１ｃを有している。携帯端末１は、例えば、タブレット端末である。
【００１６】
受付部１ａは、ユーザから商品の仕様を示す仕様情報を受付ける。仕様情報は、例えば、カーテンのサイズや縫製種類であり、受付部１ａは、例えば、携帯端末１のタッチパネルを介して、ユーザからカーテンのサイズや縫製種類を受付ける。
【００１７】
例えば、図１に示す画面２は、カーテンの仕様情報を受付ける画面例を示している。例えば、ユーザは、携帯端末１のタッチパネルから、購入したい（価格を知りたい）カーテンのサイズや縫製種類を入力する。画面２の例では、入力ボックス２ａにカーテンサイズ'１４０×２１０'が入力され、入力ボックス２ｂには、縫製種類'２倍ヒダ'が入力されている。受付部１ａは、例えばこのようにしてカーテンの仕様情報をユーザから受付ける。
【００１８】
取得部１ｂは、商品の種類を示す種類情報を非接触で取得する。種類情報は、例えば、色や柄などが異なったカーテンの種類を示す。種類情報は、例えば、ＱＲコード（登録商標）などの２次元バーコードで示され、取得部１ｂは、例えば、携帯端末１の備えるカメラを介して、商品の種類情報を非接触で取得する。
【００１９】
種類情報は、例えば、商品を掲載したカタログなどに表示される。例えば、図１に示すカタログ３は、カーテンカタログであり、種類の異なる（例えば、色や柄の異なる）カーテン３ａ，３ｂが掲載されている。図１の矢印Ａ１は、カーテン３ａの品番（種類）を示すＱＲコードを示し、矢印Ａ２は、カーテン３ｂの品番を示すＱＲコードを示している。なお、図１に示すＱＲコード３ｃは、矢印Ａ１に示すＱＲコードの拡大図である。
【００２０】
取得部１ｂは、例えば、矢印Ａ１，Ａ２に示すＱＲコードを撮影することによって、カーテン３ａ，３ｂの種類情報を取得する。例えば、ユーザは、画面２に示すボタン２ｃをタップすることにより、矢印Ａ１，Ａ２に示すＱＲコードをカメラで撮影することができ、取得部１ｂは、カメラを介して、カーテン３ａ，３ｂの種類情報を取得する。
【００２１】
表示部１ｃは、受付部１ａの受付けた仕様情報と、取得部１ｂの取得した種類情報とに基づいて算出される商品の価格を、携帯端末１の表示装置に表示する。例えば、表示部１ｃは、ユーザがタッチパネルから入力したカーテンのサイズおよび縫製種類と、ユーザが撮影したカーテンの種類を示すＱＲコードとから算出されるカーテン価格を、表示装置に表示する。
【００２２】
例えば、ユーザが画面２のボタン２ｃをタップして、ＱＲコード３ｃを撮影したとする。この場合、表示部１ｃは、画面２の入力ボックス２ａ，２ｂに入力されたカーテンの仕様情報と、撮影されたＱＲコード３ｃとに基づいて算出されるカーテン価格を表示装置に表示する。図１に示す画面４の矢印Ａ３は、画面２でユーザが入力したカーテンの仕様情報と、ユーザが撮影したＱＲコード３ｃとに基づいて算出されたカーテンの価格を示している。
【００２３】
なお、画面４には、次のＱＲコードの撮影を受付けるボタン４ａと、カーテンのサイズおよび縫製種類の再入力を受付けるボタン４ｂが示してある。例えば、ユーザは、ボタン４ａをタップすると、次に価格を知りたいカーテンのＱＲコードを撮影することができ、そのカーテン価格を表示装置に表示することができる。また、ユーザは、ボタン４ｂをタップすると、画面２に戻り、カーテンのサイズおよび縫製種類を再入力することができる。
【００２４】
以下、商品がカーテンの場合の携帯端末１の動作について説明する。まず、ユーザは、画面２に示すように、購入しようとするカーテンのサイズおよび縫製種類（仕様情報）を、携帯端末１のタッチパネルから入力する。携帯端末１の受付部１ａは、ユーザの入力したカーテンのサイズおよび縫製種類を受付ける。
【００２５】
次いで、ユーザは、画面２のボタン２ｃをタップし、カタログ３に掲載されている、価格を知りたいカーテンのＱＲコードを、携帯端末１の備えるカメラを用いて撮影する。例えば、ユーザは、カタログ３に掲載されているカーテン３ａのＱＲコードを撮影する。取得部１ｂは、ユーザによって撮影されたカーテン３ａの種類情報を取得する。
【００２６】
表示部１ｃは、受付部１ａが受付けたカーテンの仕様情報と、取得部１ｂが取得したカーテン３ａの種類情報とに基づいて算出されるカーテン３ａの価格を、携帯端末１の表示装置に表示する。例えば、画面４に示すように、カーテン３ａの価格を表示する。
【００２７】
次にユーザは、別のカーテン３ｂの価格を知りたいとする。この場合、ユーザは、画面４のボタン４ａをタップして、カタログ３のカーテン３ｂのＱＲコードを撮影する。取得部１ｂは、ユーザによって撮影されたカーテン３ｂの種類情報を取得する。
【００２８】
表示部１ｃは、受付部１ａが最初に受付けたカーテンの仕様情報と、取得部１ｂが新たに取得したカーテン３ｂの種類情報とに基づいて算出されるカーテン３ｂの価格を、携帯端末１の表示装置に表示する。
【００２９】
すなわち、携帯端末１によれば、ユーザは、カーテンサイズおよび縫製種類を携帯端末１に入力し、価格を知りたいカーテンのＱＲコードを次々に撮影していくだけで、色々なカーテンの価格を容易に知ることができる。つまり、ユーザは、カーテンの種類ごとに存在するマトリックス表をなぞらなくても、容易にカーテン価格を知ることができる。
【００３０】
このように、携帯端末１は、ユーザから商品の仕様を示す仕様情報を受付け、商品の種類を示す種類情報を非接触で取得し、受付けた仕様情報と取得した種類情報とに基づいて算出される商品の価格を表示装置に表示するようにした。これにより、ユーザは、仕様によって価格が異なる商品において、その商品の種類ごとにおける価格を容易に知ることができる。
［第２の実施の形態］
次に、第２の実施の形態を、図面を参照して詳細に説明する。
【００３１】
図２は、第２の実施の形態に係るシステム構成例を示した図である。図２に示すように、商品価格表示システムは、携帯端末１１、基地局１２、ネットワーク１３、およびサーバ１４を有している。
【００３２】
携帯端末１１は、例えば、カメラを備えたタブレット端末、スマートフォン、携帯電話、またはＰＤＡ（Personal Digital Assistant）である。携帯端末１１は、基地局１２と無線通信することができる。携帯端末１１は、例えば、携帯電話システムによる無線通信やＷｉＭＡＸ（Worldwide Interoperability for Microwave Access）による無線通信によって、基地局１２と無線通信することができる。
【００３３】
ネットワーク１３は、例えば、無線通信ネットワークおよびインターネットである。サーバ１４は、例えば、インターネットであるネットワーク１３に接続されている。
【００３４】
図２のシステムにおいて、携帯端末１１は、例えば、商品を販売する店舗の店員が所持している。店員は、お客様からの要求に応じて、店内に展示されている商品の価格を携帯端末１１に表示し、お客様に提示する。
【００３５】
例えば、お客様は、カーテンショップ内に展示されている様々な種類のカーテンの価格を知りたいとする。また、店内に展示されているカーテンには、カーテンの品番（種類）を示したＱＲコードが付されているとする。
店員は、お客様から、カーテンを取り付ける窓枠のサイズや縫製種類などの仕様情報を聞き、携帯端末１１に入力する。
次いで、店員は、お客様の価格を知りたいカーテンに付されているＱＲコードを携帯端末１１で撮影する。
【００３６】
携帯端末１１は、店員が入力したカーテンの仕様情報と、店員が撮影したカーテンの種類情報とを、基地局１２およびネットワーク１３を介して、サーバ１４に送信する。
【００３７】
サーバ１４は、携帯端末１１から受信した仕様情報と種類情報とから、その仕様情報と種類情報とに基づいたカーテンの価格を算出する。サーバ１４は、算出したカーテン価格をネットワーク１３および基地局１２を介して、携帯端末１１に送信する。
【００３８】
携帯端末１１は、サーバ１４から受信したカーテン価格を表示装置に表示する。これにより、店員は、お客様が知りたい割引後のカーテンの価格を、携帯端末１１を用いて、お客様に提示することができる。
【００３９】
さらに、お客様は、同じ仕様で、別の種類のカーテン価格を知りたいとする。つまり、お客様は、先程価格提示してもらったカーテンと同じサイズおよび同じ縫製種類で、別の色や柄のカーテン価格を知りたいとする。
【００４０】
この場合、店員は、先程携帯端末１１に入力した仕様情報の入力を省略してカーテンのＱＲコードを撮影する。携帯端末１１は、先程店員によって入力された仕様情報と、新たに撮影されたカーテンのＱＲコードとをサーバ１４に送信し、サーバ１４が算出した新たなカーテンの価格を受信する。
【００４１】
このように、カーテンショップの店員は、携帯端末１１を用いれば、お客様に様々な種類のカーテン価格を容易に提示することができる。すなわち、店員は、お客様の指定する仕様情報を携帯端末１１に入力して、カーテンのＱＲコードを次々に撮影すれば、同条件の仕様における、色々な種類のカーテンの価格を容易にお客様に提示することができる。
【００４２】
なお、カーテンショップに来店されるお客様は、一般的にカーテンを取り付ける窓が予め決まっており、カーテンサイズや縫製種類を予め決めていることが多い。そして、お客様は、同じ仕様の様々な種類のカーテンの価格を知りたいことが多い。
【００４３】
図３は、携帯端末のハードウェア構成例を示した図である。図３に示す携帯端末１１は、ＣＰＵ（Central Processing Unit）１１ａによって装置全体が制御されている。ＣＰＵ１１ａには、バス１１ｈを介してＲＡＭ（Random Access Memory）１１ｂ、フラッシュメモリなどの書換え可能なＲＯＭ（Read Only Memory）１１ｃ、グラフィック処理装置１１ｄ、入力インターフェース１１ｅ、通信インターフェース１１ｆ、およびカメラ１１ｇが接続されている。
【００４４】
ＲＡＭ１１ｂには、ＣＰＵ１１ａに実行させるＯＳ（Operating System）のプログラムやアプリケーションプログラムの少なくとも一部が一時的に格納される。また、ＲＡＭ１１ｂには、ＣＰＵ１１ａによる処理に必要な各種データが保存される。ＲＯＭ１１ｃには、ＯＳやアプリケーションプログラムなどが格納される。
【００４５】
グラフィック処理装置１１ｄには、例えば、ＬＣＤ（Liquid Crystal Display）などの表示装置が接続されている。グラフィック処理装置１１ｄは、ＣＰＵ１１ａからの命令に従って、画像をＬＣＤなどの表示装置に表示させる。
【００４６】
入力インターフェース１１ｅには、例えば、ＬＣＤの表面上部に設けられたタッチパネルが接続されている。入力インターフェース１１ｅは、タッチパネルから送られてくる信号を、バス１１ｈを介してＣＰＵ１１ａに送信する。
【００４７】
通信インターフェース１１ｆは、基地局１２と無線通信を行う。カメラ１１ｇは、例えば、デジタルカメラであり、風景やＱＲコードなど様々なものを撮影する。
【００４８】
なお、サーバ１４も図３と同様のハードウェア構成を有する。ただし、サーバ１４は、ＯＳやアプリケーションプログラムを記憶するＨＤＤ（Hard Disk Drive）を有している。また、サーバ１４のグラフィック処理装置１１ｄには、例えば、ＬＣＤのモニタディスプレイが接続されている。また、入力インターフェースには、例えば、キーボードやマウスなどが接続されている。また、通信インターフェース１１ｆは、ネットワーク１３と接続され、有線による通信を行う。
以上のようなハードウェア構成例によって、携帯端末１１およびサーバ１４は、以下で説明する処理機能を実現することができる。
図４は、携帯端末の機能ブロック図である。図４に示すように、携帯端末１１は、受付部２１、取得部２２、通信部２３、および表示部２４を有している。
【００４９】
受付部２１は、ユーザから商品の仕様を示す仕様情報を受付ける。例えば、受付部２１は、タッチパネルを介して、カーテンショップの店員が入力するカーテンのサイズや縫製種類を受付ける。受付部２１は、ユーザから受付けた仕様情報を、例えば、ＲＡＭ１１ｂやＲＯＭ１１ｃなどの記憶装置に記憶する。
取得部２２は、商品の種類を示す種類情報を非接触で取得する。例えば、取得部２２は、カメラ１１ｇによって撮影したカーテンのＱＲコードを取得する。
【００５０】
また、取得部２２は、表示部２４によって商品の価格が表示された後、受付部２１による仕様情報の受付けを省略して、種類情報を取得することができる。例えば、取得部２２は、表示部２４によってカーテンの価格が表示された後、店員からのカーテンサイズおよび縫製種類の受付けを省略して、ＱＲコードを取得することができる。
【００５１】
通信部２３は、基地局１２との無線通信を介して、サーバ１４と通信を行う。例えば、通信部２３は、受付部２１が受付けた仕様情報と、取得部２２が取得した種類情報とを、基地局１２を介してサーバ１４に送信する。
【００５２】
また、通信部２３は、取得部２２が受付部２１による仕様情報の受付けを省略して、商品の種類情報を取得した場合、記憶装置に記憶されている仕様情報と、取得部２２が取得した種類情報とを、基地局１２を介してサーバ１４に送信する。
また、通信部２３は、サーバ１４から送信された商品の価格を、基地局１２を介して受信する。
表示部２４は、通信部２３がサーバ１４から受信した商品の価格を、例えば、ＬＣＤの表示装置に表示する。
【００５３】
また、表示部２４は、ユーザに対し、取得部２２によって種類情報を取得することを促すボタンと、受付部２１によって仕様情報を受付けることを促すボタンとを表示装置に表示する。例えば、表示部２４は、カーテンショップの店員に対し、カーテンのＱＲコードを取得することを促すボタンと、カーテンのサイズおよび縫製種類を再入力することを促すボタンとを表示装置に表示する。
【００５４】
なお、種類情報を取得することを促すボタンがユーザによって選択された場合、取得部２２が動作する。すなわち、取得部２２は、表示部２４によって商品価格が表示された後、ユーザの指示に応じて受付部２１による仕様情報の受付けを省略し、種類情報を取得する。また、受付部２１によって仕様情報を受付けることを促すボタンがユーザによって選択された場合、受付部２１が動作する。
図５は、サーバの機能ブロック図である。図５に示すように、サーバ１４は、通信部３１、算出部３２、およびＤＢ（Data Base）３３を有している。
【００５５】
通信部３１は、ネットワーク１３および基地局１２を介して、携帯端末１１と通信を行う。例えば、通信部３１は、携帯端末１１から送信される仕様情報と種類情報とを受信する。また、通信部３１は、算出部３２が算出した商品の価格（割引率を考慮した価格）を携帯端末１１に送信する。
算出部３２は、通信部３１の受信した種類情報と仕様情報とを用いてＤＢ３３を参照し、商品の価格を算出する。
ＤＢ３３には、商品の種類情報と仕様情報とに対応付けられた商品の価格情報を記憶している。
【００５６】
図６は、ＤＢのデータ構成例を示した図である。図６に示すように、ＤＢ３３は、メーカの欄、品番の欄、縫製種類の欄、サイズの欄、定価の欄、および割引の欄を有している。
メーカの欄には、商品を製造するメーカ名が格納される。例えば、メーカの欄には、カーテンの製造メーカ名が格納される。
【００５７】
品番の欄には、商品を区別する番号が格納される。例えば、品番の欄には、カーテンの品番が格納される。すなわち、品番の欄には、商品の種類を示す種類情報が格納される。
【００５８】
縫製種類の欄には、カーテンの縫製種類が格納される。縫製種類には、例えば、１．５倍ヒダ、２倍ヒダ、プレーンシェードなどがある。プレーンシェードは、さらにドラム式とコード式とがある。
サイズの欄には、カーテンのサイズが格納される。例えば、サイズの欄には、カーテンンの横×縦（ｃｍ）の情報が格納される。
【００５９】
定価の欄には、商品の定価が格納される。商品の定価は、商品の品番（種類）および商品の仕様（縫製種類およびサイズ）と対応付けられている。すなわち、商品の定価は、商品の種類および仕様によって決められている。
割引の欄には、商品の割引率が格納されている。例えば、カーテンの割引率が格納されている。
【００６０】
ＤＢ３３に記憶される上記の情報は、予めサーバ１４のＨＤＤの記憶領域に構築される。また、ＤＢ３３は、ＨＤＤの記憶領域に構築された後、必要に応じて変更される。
上記したように、サーバ１４の算出部３２は、ＤＢ３３を参照して、店員またはお客様が知りたいカーテンの価格を算出する。
【００６１】
例えば、携帯端末１１は、カーテンショップの店員から、カーテンサイズ'ｘ１×ｙ１'、縫製種類'２倍ヒダ'の入力を受付けたとする。また、携帯端末１１は、カーテンショップの店員によってＱＲコード'α２'が撮影されたとする。ＱＲコード'α２'は、カーテンの品番を示している。
この場合、カーテンサイズ'ｘ１×ｙ１'、縫製種類'２倍ヒダ'、およびＱＲコード（カーテンの品番）'α２'の情報が、サーバ１４に送信される。
【００６２】
サーバ１４の算出部３２は、受信されたカーテンサイズ'ｘ１×ｙ１'、縫製種類'２倍ヒダ'、および品番'α２'を用いてＤＢ３３を参照し、カーテンの価格を算出する。図６のＤＢ３３の例の場合、算出部３２は、'ｄ２×１０％'円を算出する。
【００６３】
なお、算出部３２は、ＤＢ３３のサイズの欄に格納されているサイズと異なるサイズが受信された場合、受信されたサイズより大きいサイズで、サイズの欄に記憶されているもっとも近いサイズの料金を算出する。
【００６４】
例えば、サーバ１４の通信部３１は、'ｖ１×ｗ１'のサイズを受信したとする。そして、'ｖ１'は、ｘ１＜ｖ１＜ｘ２の関係があり、'ｗ１'は、ｙ１＜ｗ１＜ｙ２の関係があるとする。この場合、算出部３２は、ｘ２×ｙ２におけるカーテン価格を算出する。
【００６５】
図７は、ＱＲコードを説明する図である。図７に示すカーテン４１〜４３は、例えば、異なるカーテンのサンプル品であり、カーテンショップ内に展示されている。
【００６６】
カーテン４１には、タグ４１ａが付されている。タグ４１ａには、ＱＲコード４１ｂが印刷されている。なお、ＱＲコード４１ｃは、ＱＲコード４１ｂの拡大図である。カーテン４２，４３にも、カーテン４１と同様にＱＲコードが印刷されたタグが付与されている。カーテン４１〜４３に付されたＱＲコードは、カーテン４１〜４３の品番を示している。
【００６７】
カーテンショップの店員は、例えば、お客様から、購入しようとしているカーテンのサイズおよび縫製種類を聞き、所持する携帯端末１１にカーテンのサイズおよび縫製種類を入力する。
【００６８】
そして、カーテンショップの店員は、例えば、店内に展示しているカーテン４１〜４３をお客様に見せ、お客様が「カーテン４１の価格が知りたい。」と言えば、ＱＲコード４１ｂを撮影する。すると、携帯端末１１には、カーテン４１の価格が表示され、カーテンショップの店員は、携帯端末１１に表示されたカーテン４１の価格をお客様に見せることができる。
【００６９】
また、カーテンショップの店員は、例えば、お客様が別の「カーテン４３の価格が知りたい。」と言えば、カーテン４３に付されているＱＲコードを撮影する。すると、携帯端末１１には、カーテン４３の価格が表示され、カーテンショップの店員は、携帯端末１１に表示されたカーテン４３の価格をお客様に見せることができる。
【００７０】
図８は、携帯端末の画面例を示した図である。図８に示すように、携帯端末１１の表示装置には、カーテンサイズの入力、縫製種類の入力、およびＱＲコードの撮影を促す文章が表示されている。
【００７１】
また、携帯端末１１の表示装置には、カーテンサイズを入力するための入力ボックス５１，５２が表示されている。入力ボックス５１には、カーテンの幅が入力され、入力ボックス５２には、カーテンの高さが入力される。
【００７２】
また、携帯端末１１の表示装置には、カーテンの縫製種類を入力する入力ボックス５３が表示されている。入力ボックス５３は、例えば、プルダウン方式によって、縫製種類が入力される。例えば、入力ボックス５３に示す三角形のマークをタップすると、１．５倍ヒダ、２倍ヒダ、およびプレーンシェードが表示される。
【００７３】
プレーンシェードは、上記したようにドラム式とコード式の２種類がある。従って、プレーンシェードをさらにタップすると、図８に示すように、さらにドラム式およびコード式が表示される。ユーザが所望の縫製種類をタップすると、三角形のマークの左側の入力欄に、タップした縫製種類が自動で入力される。
【００７４】
また、携帯端末１１の表示装置には、ＱＲコードの撮影を開始するためのボタン５４が表示される。例えば、ユーザによってボタン５４がタップされると、ＱＲコードを撮影する画面に遷移する。
図９は、携帯端末の画面例を示した図である。図９の画面例は、図８のボタン５４をタップし、ＱＲコードを撮影すると表示される。
【００７５】
例えば、携帯端末１１の表示装置には、図９に示すように、お客様が知りたいカーテンのカーテンメーカ、カーテン品番、カーテンサイズ、および縫製種類が表示される。また、携帯端末１１の表示装置には、カーテンの定価、カーテンに適用された割引率、およびカーテンの販売価格が表示される。また、携帯端末１１の表示装置には、次のＱＲコードの撮影を促すボタン６１と、サイズ、縫製種類の再入力を促すボタン６２と、カーテン価格の表示を終了するボタン６３とが表示される。
【００７６】
なお、図９に示す画面例は、図８の入力ボックス５１〜５３のそれぞれに'ｘ１'、'ｙ１'、および'２倍ヒダ'を入力し、ボタン５４をタップして、'α２'のＱＲコードを撮影した場合の例を示している。
【００７７】
'ｘ１'、'ｙ１'、および'２倍ヒダ'の仕様情報と'α２'の種類情報は、サーバ１４に送信される。サーバ１４の算出部３２は、受信された仕様情報および種類情報を用いてＤＢ３３を参照し、カーテン価格を算出する。図６に示したＤＢ３３の例の場合、カーテン価格は、Ｄ２円（Ｄ２＝ｄ２×１０％）となる。
【００７８】
また、サーバ１４の算出部３２は、受信した仕様情報および種類情報を用いて図６のＤＢ３３を参照することにより、カーテンメーカ、品番、定価、および割引率を取得する。例えば、上記の'ｘ１'、'ｙ１'、および'２倍ヒダ'の仕様情報と、'α２'の種類情報の例に従えば、算出部３２は、カーテンメーカ'Ａ'、品番'α２'、定価'ｄ２'、および割引率'１０％'を取得する。
【００７９】
通信部３１は、算出部３２が算出したカーテン価格と、算出部３２が取得したカーテン情報（カーテンメーカ、品番、定価、割引率、カーテン価格を算出した仕様情報および種類情報）とを携帯端末１１に送信する。
これにより、携帯端末１１の表示装置には、図９に示すような画面が表示される。
【００８０】
なお、ボタン６２がタップされると、図８の画面に戻る。すなわち、カーテンのサイズおよび縫製種類を再入力することができる。また、ボタン６３がタップされると、カーテン価格の表示プログラムが終了する。
【００８１】
図１０は、携帯端末の画面例を示した図である。図１０の画面例は、図９のボタン６１をタップし、別のカーテンに付されたＱＲコードを撮影すると表示される。
【００８２】
図１０の例では、カーテンのサイズおよび縫製種類の入力を省略して、別のＱＲコードを撮影している。この場合、携帯端末１１の受付部２１は、図４で説明したように、以前に入力されたカーテンのサイズおよび仕様情報をＲＡＭ１１ｂやＲＯＭ１１ｃの記憶装置に記憶しており、携帯端末１１の通信部２３は、記憶装置に記憶されているサイズおよび縫製種類と、新たに撮影されたＱＲコードとをサーバ１４に送信する。
【００８３】
例えば、店員は、図９のボタン６１をタップし、'α１'のＱＲコードを撮影したとする。この場合、携帯端末１１は、以前に店員から受付けて、記憶装置に記憶していたカーテンサイズ'ｘ１'、'ｙ１'および縫製種類'２倍ヒダ'と、新たに撮影された'α１'のＱＲコードとをサーバ１４に送信する。
【００８４】
そして、サーバ１４の算出部３２は、図６のＤＢ３３の例に従えば、Ｄ１円（Ｄ１＝ｄ１×１０％）のカーテン価格を算出する。また、図６のＤＢ３３の例の場合、カーテンメーカ、カーテン品番、定価、および割引率のそれぞれは、図１０に示すように'Ａ'、'α１'、'ｄ１'、および'１０％'となる。
【００８５】
図１０の画面例において、ボタン７１がタップされると、カーテンのサイズおよび縫製種類を入力することなく、別のカーテンのＱＲコードを撮影できる。すなわち、店員は、ＱＲコードを次々に撮影するだけで、同じ仕様の様々な種類のカーテンの価格を携帯端末１１に表示させることができる。
【００８６】
また、ボタン７２がタップされると、図８の画面に戻る。すなわち、店員は、カーテンのサイズおよび縫製種類を再入力することができる。そして、店員は、別のサイズまたは縫製種類のカーテンの価格を携帯端末１１に表示させることができる。また、ボタン７３がタップされると、カーテン価格の表示プログラムが終了する。
【００８７】
なお、上記では、携帯端末１１がカーテンのサイズおよび仕様情報を記憶するとしたが、サーバ１４において記憶するようにしてもよい。この場合、携帯端末１１は、カーテンのサイズおよび縫製種類の再入力があるまで、これらの情報をＱＲコードの撮影のたびにサーバ１４に送信しなくて済む。
図１１は、携帯端末の動作を示したフローチャートである。
【００８８】
［ステップＳ１］携帯端末１１の受付部２１は、例えば、携帯端末１１のタッチパネルを介して、カーテンのサイズおよび縫製種類を受付ける。受付部２１は、受付けたカーテンのサイズおよび縫製種類をＲＡＭ１１ｂやＲＯＭ１１ｃなどの記憶装置に記憶する。
［ステップＳ２］取得部２２は、例えば、カメラ１１ｇを介して、カーテンに付されているＱＲコードからカーテンの品番を取得する。
【００８９】
［ステップＳ３］通信部２３は、受付部２１が受付けたカーテンのサイズおよび縫製種類と、取得部２２が取得したカーテンの品番とを、サーバ１４に送信する。
【００９０】
［ステップＳ４］通信部２３は、サーバ１４から、サーバ１４が算出したカーテンの価格を受信する。なお、サーバ１４からは、例えば、図９で説明したように、カーテンのメーカや品番など、その他の情報も送信される。
［ステップＳ５］表示部２４は、サーバ１４から受信されたカーテンの価格およびカーテンの情報を表示装置に表示する。
【００９１】
［ステップＳ６］表示部２４は、ＱＲコードを取得することを促すボタンと、カーテンのサイズおよび縫製種類の再入力を促すボタンと、カーテン価格表示のプログラムを終了することを促すボタンとを表示する。
【００９２】
表示部２４は、例えば、店員により、ＱＲコードを取得することを促すボタンがタップされると、ステップＳ２に進む。この場合、ステップＳ３では、通信部２３は、記憶装置に記憶しているカーテンのサイズおよび縫製種類を、サーバ１４に送信する。
また、表示部２４は、例えば、店員により、カーテンのサイズおよび縫製種類の再入力を促すボタンがタップされると、ステップＳ１へ進む。
【００９３】
また、表示部２４は、例えば、店員により、カーテン価格表示のプログラムを終了することを促すボタンがタップされると、カーテン価格表示のプログラムを終了する。
図１２は、サーバの動作を示したフローチャートである。
［ステップＳ１１］サーバ１４の通信部３１は、携帯端末１１から、カーテンの品番と、カーテンのサイズおよび縫製種類とを受信する。
【００９４】
［ステップＳ１２］算出部３２は、通信部３１によって受信されたカーテンの品番と、カーテンのサイズおよび縫製種類とを用いてＤＢ３３を参照し、カーテンの価格を算出する。
【００９５】
［ステップＳ１３］通信部３１は、算出したカーテンの価格を携帯端末１１に送信する。なお、通信部３１は、例えば、図９で説明したように、カーテンのメーカや品番など、その他の情報も送信する。
【００９６】
このように、携帯端末１１は、ユーザから商品の仕様を示す仕様情報を受付け、商品の種類を示す種類情報を非接触で取得し、受付けた仕様情報と取得した種類情報とをサーバ１４に送信する。サーバ１４は、携帯端末１１から受信した仕様情報と種類情報とを用いてＤＢ３３を参照し、商品の価格を算出して、携帯端末１１に送信する。そして、携帯端末１１は、サーバ１４から受信した商品の価格を表示する。これにより、ユーザは、仕様によって価格が異なる商品の種類ごとにおける価格を容易に知ることができる。
【００９７】
また、ユーザは、マトリックス表を用いずに商品の価格を知ることができ、正確な価格を知ることができる。例えば、マトリックス表の場合、縦横の欄のなぞりがずれると、商品価格を間違えることになる。一方、携帯端末１１では、例えば、商品に付されたＱＲコードを撮影することによって価格が表示されるので、ユーザは、正確な商品価格を知ることができる。
［第３の実施の形態］
【００９８】
次に、第３の実施の形態を、図面を参照して詳細に説明する。第３の実施の形態では、商品が設置される場所をユーザから受付け、設置される場所に応じた商品の価格を表示装置に表示する。すなわち、第３の実施の形態では、商品の仕様情報が、商品の設置される場所の情報である場合について説明する。
【００９９】
なお、第３の実施の形態に係るシステム構成は、図２と同様である。また、第３の実施の形態に係る携帯端末のハードウェア構成および機能ブロックは、図３、図４と同様である。ただし、受付部２１の機能が一部異なる。また、第３の実施の形態に係るサーバのハードウェア構成および機能ブロックは、図３、図５と同様である。ただし、算出部３２の機能が一部異なる。また、サーバは、新たなＤＢを有する。以下では、商品がカーテンの場合について説明する。
図１３は、第３の実施の形態に係る商品の設置場所を説明する図である。図１３には、マンションの８０１号室の間取り図が示してある。
【０１００】
窓には、番号が割り当てられている。例えば、図１３に示すように、８０１号室の窓には番号'１〜４'が割り当てられている。他の部屋（号室）の窓にも、同様に番号が割り当てられている。
【０１０１】
カーテンオプション会（マンションでのカーテン販売会）では、カーテンが取り付けられる窓がすでに分かっている。つまり、カーテンを取り付ける場所（部屋と窓）によって、カーテンの大きさが分かる。
【０１０２】
そこで、携帯端末１１の受付部２１は、カーテンのサイズの代わりに、カーテンを取り付ける部屋番号（号室）と、窓番号とを受付ける。例えば、図８の入力ボックス５１，５２には、マンションの部屋番号とカーテンを取り付けたい窓の番号とが入力されるようにする。
【０１０３】
携帯端末１１の通信部２３は、受付部２１が受付けた部屋番号、窓番号、および縫製種類と、取得部２２が取得したＱＲコード（カーテンの品番）とをサーバ１４に送信する。
【０１０４】
サーバ１４は、部屋番号、窓番号、およびサイズを対応付けたＤＢを有している。サーバ１４の算出部３２は、受信された部屋番号および窓番号からＤＢを参照し、窓に取り付けられるカーテンのサイズを取得する。そして、算出部３２は、第２の実施の形態で説明したように、ＤＢ３３を参照して、カーテン価格を算出する。
図１４は、ＤＢのデータ構成例を示した図である。図１４に示すように、ＤＢ８１は、部屋番号の欄、窓番号の欄、およびサイズの欄を有している。
【０１０５】
部屋番号の欄には、マンションの部屋番号が格納される。窓番号の欄には、マンションの部屋の窓に割り当てられた番号が格納される。サイズの欄には、窓のサイズが格納される。これにより、例えば、ＤＢ８１より、部屋番号'１０１'の窓番号'１'の窓のサイズは、'ｘ１×ｙ１'であることが分かる。
【０１０６】
なお、ＤＢ８１に記憶される上記の情報は、予めサーバ１４のＨＤＤの記憶領域に構築される。また、ＤＢ８１は、ＨＤＤの記憶領域に構築された後、必要に応じて変更される。
【０１０７】
携帯端末１１およびサーバ１４の動作について説明する。カーテンオプション会の会場には、カーテンのサンプル品が展示されており、カーテンには、カーテンの品番を示すＱＲコードが付されている。
【０１０８】
カーテンオプション会の店員は、お客様から、マンションの部屋番号と、カーテンを取り付けたい窓番号とを聞く。また、店員は、お客様から、カーテンの縫製種類を聞く。
【０１０９】
店員は、お客様から聞いたマンションンの部屋番号と、カーテンを取り付けたい窓番号とを携帯端末１１に入力する。例えば、図８に示す入力ボックス５１，５２は、部屋番号と窓番号とを入力するボックスとなっており、店員はここに、お客様から聞いた部屋番号と窓番号とを入力する。また、店員は、入力ボックス５３に縫製種類を入力する。入力ボックス５１〜５３に入力された情報は、受付部２１によって受付けられる。
【０１１０】
次いで、店員は、例えば、お客様と展示されているカーテンを見て、お気に入りのカーテンを聞く。そして、店員は、図８に示すボタン５４をタップして、お気に入りのカーテンに付されているＱＲコードを撮影する。ＱＲコードは、取得部２２によって取得される。
【０１１１】
携帯端末１１の通信部２３は、受付部２１によって受付けられた部屋番号、窓番号、および縫製種類と、取得部２２によって取得されたＱＲコードとをサーバ１４に送信する。
【０１１２】
サーバ１４の算出部３２は、受信された部屋番号と窓番号とを用いてＤＢ８１を参照し、カーテンが取り付けられる窓のサイズを取得する。例えば、携帯端末１１に入力された部屋番号および窓番号を'１０２'および'１'とすると、図１４のＤＢ８１の例では、算出部３２は、サイズ'ｘ３×ｙ３'を取得する。
【０１１３】
算出部３２は、取得したサイズと、受信された縫製種類とを用いてＤＢ３３を参照し、カーテンの価格を算出する。例えば、上記例では、算出部３２が取得したカーテンのサイズは、'ｘ３×ｙ３'である。従って、例えば、携帯端末１１から送信されたＱＲコード（カーテンの品番）を'α２'とし、携帯端末１１から送信された縫製種類を'２倍ヒダ'とすると、図６のＤＢ３３の例では、算出部３２は、'ｆ２×１０％円'のカーテン価格を算出する。
【０１１４】
カーテン価格の算出後の動作は、第２の実施の形態と同様である。すなわち、サーバ１４の通信部３１は、算出されたカーテン価格とカーテンに関する情報とを携帯端末１１に送信する。これにより、携帯端末１１の表示装置には、例えば、図９に示したような画面が表示される。
【０１１５】
なお、お客様が同じ窓において、別のカーテンの価格を知りたい場合、店員は、例えば、図９に示すボタン６１をタップし、別のカーテンに付されているＱＲコードを撮影すればよい。すなわち、店員は、ＱＲコードを次々に撮影するだけで、お客様が購入しようとしているカーテンの価格を携帯端末１１に表示させることができる。
このように、携帯端末１１が仕様情報として商品が設置される場所を受付ける場合でも、第２の実施の形態と同様の効果を得ることができる。
【０１１６】
なお、本件は、上述した実施の形態に限定されるわけではなく、その他種々の変更が可能である。例えば、第１の実施の形態では、カタログにＱＲコードを付した場合について説明したが、第２の実施の形態および第３の実施の形態と同様に、例えば、カーテンにＱＲを付してもよい。第２の実施の形態および第３の実施の形態では、展示されたカーテンにＱＲコードを付した場合について説明したが、第１の実施の形態と同様に、例えば、カーテンを掲載したカタログに、ＱＲコードを掲載してもよい。
【０１１７】
また、上記では、商品の種類を示す種類情報として、ＱＲコードの２次元バーコードの例を示したが、１次元バーコードであってもよい。すなわち、携帯端末は、商品やカタログに付されている画像コードを読み取ることにより、商品の種類情報を取得してもよい。また、種類情報は、Felica（登録商標）であってもよい。
【０１１８】
また、上記では、カーテンショップの店員が携帯端末１１を所持して、カーテン価格を携帯端末１１の表示装置に表示するとしたが、例えば、携帯端末１１をお客様に貸出してもよい。この場合は、お客様は、自分でＱＲコードを撮影して、自分の購入しようとするカーテンの価格を携帯端末１１に表示することができる。
【０１１９】
また、図４の機能ブロックを実現するプログラム（価格表示プログラム）を、お客様が所有する携帯端末にダウンロードするようにしてもよい。例えば、カーテンショップのホームページに、価格表示プログラムを記憶したサーバのリンクを貼りつけておく。お客様は、ホームページに張り付けられたリンクにアクセスして、価格表示プログラムを自分の携帯端末にダウンロードする。これにより、お客様は、カーテンショップから携帯端末１１を借りなくても、自分が所有する携帯端末１１を用いてカーテンの価格を知ることができる。
【０１２０】
また、上記では、商品の一例として、カーテンを例に説明したが、これに限るものでない。例えば、商品がブラインドやその他の窓装飾にも適用できる。また、本システムは、例えば、マトリックス表を用いて商品価格を調べるような商品に適用することができる。
【０１２１】
また、商品の価格を表示した画面には、商品の写真や説明文を表示するようにしてもよい。例えば、図９、図１０に示した画面例において、カーテンの写真やそのカーテンの説明文を画面に表示するようにしてもよい。
【０１２２】
また、本件は、新築の家やマンションに家具を配置したときの合計価格を調べるようなモデルにも適用できる。例えば、新築の家やマンションの和室や洋室、キッチンなどには、テーブルやソファー、システムキッチンなどが設置される。これらの各商品のカタログには、商品の種類ごとにＱＲコードが付されている。例えば、テーブルのカタログでは、テーブルの模様や材質ごとにＱＲコードが付されている。
【０１２３】
ユーザは、例えば、新築の家やマンションの間取り図を見て、各部屋に置けるテーブルやソファー、システムキッチンなどのサイズを携帯端末１１に入力する。そして、各商品のカタログを見て、購入したい商品に付されているＱＲコードを撮影する。これにより、ユーザは、新築の家やマンションに設置する家具等の価格を容易に知ることができる。
【０１２４】
また、第２の実施の形態および第３の実施の形態では、サーバ１４が商品の価格を算出するとしたが、これに限られない。例えば、携帯端末１１がＤＢ３３，８１を備え、携帯端末１１が商品の価格を算出してもよい。
【０１２５】
また、上記の処理機能は、コンピュータによって実現することができる。その場合、携帯端末１１およびサーバ１４が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）／ＲＷ（ReWritable）等が挙げられる。光磁気記録媒体には、ＭＯ（Magneto-Optical disk）等が挙げられる。
【０１２６】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２７】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【０１２８】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【０１２９】
また、本件に、他の任意の構成物や工程が付加されていてもよい。また、本件は、上述した各実施の形態のうち、任意の２以上の実施の形態を組み合わせたものであってもよい。
【符号の説明】
【０１３０】
１  携帯端末
１ａ  受付部
１ｂ  取得部
１ｃ  表示部
２，４  画面
３  カタログ
３ａ，３ｂ  カーテン
３ｃ  ＱＲコード
４ａ，４ｂ  ボタン
【図１】
2014096087.tif 000003
【図２】
2014096087.tif 000004
【図３】
2014096087.tif 000005
【図４】
2014096087.tif 000006
【図５】
2014096087.tif 000007
【図６】
2014096087.tif 000008
【図７】
2014096087.tif 000009
【図８】
2014096087.tif 000010
【図９】
2014096087.tif 000011
【図１０】
2014096087.tif 000012
【図１１】
2014096087.tif 000013
【図１２】
2014096087.tif 000014
【図１３】
2014096087.tif 000015
【図１４】
2014096087.tif 000016
【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
ユーザから商品のサイズを示す仕様情報を受付ける受付部と、
前記商品の色または柄を示す種類情報を非接触で取得する取得部と、
前記受付部の受け付けた前記仕様情報と前記取得部の取得した前記種類情報とに基づいて算出される前記商品の価格を表示する表示部と、
を有することを特徴とする携帯端末。
【請求項２】
前記取得部は、前記表示部によって前記価格が表示された後、前記ユーザからの指示に応じて前記受付部による前記仕様情報の受付けを省略し、前記種類情報を取得することを特徴とする請求項１記載の携帯端末。
【請求項３】
前記表示部は、前記ユーザに対し、前記種類情報が前記取得部によって取得されるように促すボタンと、前記仕様情報が前記受付部によって受付けられるように促すボタンとを表示することを特徴とする請求項１または２に記載の携帯端末。
【請求項４】
前記商品のサイズは、前記商品の設置場所と対応付けられており、
前記受付部は、前記ユーザから前記商品の設置場所を受付けて、前記商品の前記仕様情報を受付けることを特徴とする請求項１乃至３のいずれかに記載の携帯端末。
【請求項５】
携帯端末がユーザから受付けた商品のサイズを示す仕様情報と前記携帯端末が非接触で取得した前記商品の色または柄を示す種類情報とを、前記携帯端末から受信する受信部と、
前記受信部の受信した前記種類情報と前記仕様情報とに基づいて前記商品の価格を算出する算出部と、
前記算出部の算出した前記商品の価格を前記携帯端末に送信する送信部と、
を有することを特徴とするサーバ。
【請求項６】
コンピュータが、
ユーザから商品のサイズを示す仕様情報を受付け、
前記商品の色または柄を示す種類情報を非接触で取得し、
受付けた前記仕様情報と取得した前記種類情報とに基づいて算出される前記商品の価格を表示装置に表示する、
ことを特徴とする価格表示方法。
【請求項７】
コンピュータに、
ユーザから商品のサイズを示す仕様情報を受付け、
前記商品の色または柄を示す種類情報を非接触で取得し、
受付けた前記仕様情報と取得した前記種類情報とに基づいて算出される前記商品の価格を表示装置に表示する、
処理を実行させることを特徴とするプログラム。
【請求項８】
コンピュータに、
携帯端末がユーザから受付けた商品のサイズを示す仕様情報と前記携帯端末が非接触で取得した前記商品の色または柄を示す種類情報とを、前記携帯端末から受信し、
受信した前記種類情報と前記仕様情報とに基づいて前記商品の価格を算出し、
算出した前記商品の価格を前記携帯端末に送信する、
処理を実行させることを特徴とするプログラム。